(57)【要約】      （修正有）【課題】薄型で携帯に便利であり、かつ携帯中にケースから抜け落ちる恐れがなく安全であり、かつ衛生的な中華包丁ケースを提供する。【解決手段】両側板２ａ、上壁３、下壁４、前壁５で囲まれ、後部に開口部６ａを有するスリット状の挿入穴を備えた板状のケース本体１を備え、両側板２ａは抗菌板で形成し、挿入穴の底面には刃先保護用の合成樹脂材９を設け、両側板２ａの後部に切欠き段部１０を形成し、開口部６ａから挿入穴に挿入された中華包丁７の刃身７ａの柄７ｂに隣接する後端部１１の上部１１ａが切欠き段部１０の上方に露出するようにし、後端部１１の上部１１ａを固定手段１３により側板２ａに留めつけて刃身７ａが抜け落ちないように固定する。【選択図】図１
0003198359.tif 000002
【実用新案登録請求の範囲】
【請求項１】
両側板、上壁、下壁、前壁で囲まれ、後部に開口部を有するスリット状の挿入穴を備えた板状のケース本体を備え、前記両側板は抗菌板で形成し、前記挿入穴の底面には刃先保護用の合成樹脂材を設け、前記両側板の後部に切欠き段部を形成し、前記開口部から前記挿入穴に挿入された中華包丁の刃身の柄に隣接する後端上部が前記切欠き段部の上方に露出するようにし、前記後端上部を固定手段により前記側板に留めつけて刃身が抜け落ちないように固定したことを特徴とする中華包丁ケース。
【請求項２】
前記固定手段は、前記上壁の後部に形成した小孔に通した紐を前記刃身の後端上部に巻き付けて結束した請求項１記載の中華包丁ケース。
【請求項３】
前記固定手段は、前記側板の一方の面に一端を固定したテープを前記刃身の後端上部に巻き付け、該テープの他端を前記側板の他方の面にスナップで留めした請求項１記載の中華包丁ケース。
【請求項４】
前記固定手段は、前記側板の一方の面に一端を固定したテープを前記刃身の後端上部に巻き付け、該テープの他端を前記側板の他方の面に面ファスナで留めた請求項１記載の中華包丁ケース。
【考案の詳細な説明】
【考案の詳細な説明】
【技術分野】
【０００１】  本考案は、中華包丁の携帯や保管に使用する中華包丁ケースに関するものである。
【背景技術】
【０００２】  従来、内側に硬質のゴムマット、二層目にスチレン製ボード、合皮素材を使用し、皮紐で留めつける構成の中華包丁ケースが開示されている（特許文献１参照）。
また、包丁と同形状の側板を備えたケースに刃身を収容するようにした出刃包丁用の包丁ケースも開示されている（特許文献２参照）。
【先行技術文献】
【０００３】
【特許文献１】実用新案登録第３１５１７６８号
【０００４】
【特許文献２】実開平６−３８８６４号
【考案の概要】
【考案が解決しようとする課題】
【０００５】  特許文献１の中華包丁ケースは３層構造の箱型の大型のものであり、かつ保護金具やカシメ、ハトメ金具など部品点数も多くなり、嵩張るため持ち運びに不便であるという問題があった。【０００６】  また、特許文献２の包丁ケースは、側板に刃身露出部が形成され、かつケースから容易に取り出せないように施錠をした構造であり、主として包丁陳列に使用するもので、携帯には適さないという問題があった。【０００６】  本考案は、薄型で携帯に便利であり、かつ携帯中にケースから抜け落ちる恐れがなく安全であり、かつ衛生的な中華包丁ケースを提供することを目的とする。
【課題を解決するための手段】
【０００７】  請求項１記載の考案は、両側板、上壁、下壁、前壁で囲まれ、後部に開口部を有するスリット状の挿入穴を備えた板状のケース本体を備え、前記両側板は抗菌板で形成し、前記挿入穴の底面には刃先保護用の合成樹脂材を設け、前記両側板の後部に切欠き段部を形成し、前記開口部から前記挿入穴に挿入された中華包丁の刃身の柄に隣接する後端上部が前記切欠き段部の上方に露出するようにし、前記後端上部を固定手段により前記側板に留めつけて刃身が抜け落ちないように固定するものである。【０００８】  請求項２記載の考案は、前記固定手段は、前記上壁の後部に形成した小孔に通した紐を前記刃身の後端上部に巻き付けて結束したものである。【０００９】  請求項３記載の考案は、前記固定手段は、前記側板の一方の面に一端を固定したテープを前記刃身の後端上部に巻き付け、該テープの他端を前記側板の他方の面にスナップで留めしたものである。【００１０】  請求項４記載の考案は、前記固定手段は、前記側板の一方の面に一端を固定したテープを前記刃身の後端上部に巻き付け、該テープの他端を前記側板の他方の面に面ファスナで留めたものである。
【考案の効果】
【００１１】  本考案は、中華包丁ケースを衛生的かつ安全に収容することができ、薄型で携帯に便利であり、かつ携帯中にケースから抜け落ちる恐れがなく安全であるとともに、側板が抗菌板で形成されているので、刃身が雑菌から保護され、衛生的である。
【図面の簡単な説明】
【００１２】
【図１】本考案の中華包丁ケース側面図である。
【図２】固定手段により包丁を固定した状態の側面図である。
【図３】図１のＡ−Ａ線断面図である。
【図４】包丁の固定手段の他の実施形態を示す側面図である。
【図５】図４のＢ−Ｂ線断面図である。
【図６】固定手段の別の実施形態を示す断面図である。
【考案を実施するための形態】
【００１３】  図１は本考案の中華包丁ケースの側面図、図２は固定手段の紐で包丁を固定した状態の側面図、図３は図１のＡ−Ａ線断面図である。
【００１４】  中華包丁ケースのケース本体１は、両側板２ａ、２ｂ、上壁３、下壁４、前壁５で囲まれ、後端部（図１の左端部）のみに開口部６ａを有するスリット状の挿入穴６を備えた薄い板状のものである。下壁４の上面、すなわち、挿入穴６の下面には刃身７ａの刃先部分を保護するための合成樹脂材９が設けられている。合成樹脂材９としてはシリコンラバーが好適であるが、その他の半硬質の合成樹脂でもよい。挿入穴６の上下間の寸法（上壁３の内面と保護部材９との間の高さ寸法）は中華包丁７の刃身７ａの幅より僅か（１〜２ミリ程度）大きく形成されている。両側板部２ａ、２ｂの一端部には直角の切欠き段部１０が形成されている。
【００１５】  図１に示すように、中華包丁７の刃身７ａを開口部６ａから挿入穴６内に挿入すると、刃身７ａの後端部１１（中華包丁７の柄７ｂ寄りの部分）の大部分は切欠き段部１０の突出部分１２の内部に収容されるとともに、後端部１１の上部１１ａ、すなわち、柄７ｂに隣接する部分がわずかに切欠き段部１０の上方に露出している。上壁３の後部付近には小孔８が形成されている。１３は中華包丁を中華包丁ケース１に固定するための紐であって、通常は小孔８に通しておくものとする。
【００１６】  両側板部２ａ、２ｂは抗菌板が使用される。抗菌板としては、例えば多孔質性ゼオライトに金属イオンを蒸着した無機質抗菌剤を、合成ゴム及び硬質塩化ビニールを主材とする合成樹脂板に混入して得られた板が使用される。ただし、これに限定されず、一般に抗菌まな板として使用される合成樹脂板が好適に使用される。このような抗菌板を使用することにより、包丁は抗菌状態で常に清潔に保持される。
【００１７】  挿入穴６に中華包丁の刃身７ａを挿入した後、図２に示すように、小孔８に通した紐１３を、刃身７ａの後端部１１の上部１１ａに巻き付けて側板２ａ又は２ｂの表面で結び目１４を作ることにより、刃身７ａはしっかりとケース本体１に固定され、抜け落ちることがなくなる。固定手段として紐１３を使用すると、携帯時にかさばらず、また、紛失や損傷もなく便利であるが、図４〜図５に示すように、紐１３以外の手段でもよい。
【００１８】  図４、図５に示すように、テープ１４の一端を側板２ａに接着部分１５で接着固定し、テープ１４の他端をスナップ式のホック１６ａ、１６ｂで留めるようにしてもよい。すなわち、雌ホック１６ｂを布片１６に取付け、雄ホック１６ａをテープ１４に取付ける。テープ１４を刃身７ａの後端部１１の上部１１ａに巻き付けて雄雌のホック１６ａ、１６ｂでスナップ留めする。
【００１９】  また、図６に示すように、ホックに代えて面ファスナ１７ａ、１７ｂを用いてもよい。すなわち、一方の面ファスナ１７ｂを側板２ｂに固着し、他方の面ファスナ１７ｂをテープ１４に固着し、面ファスナ１７ａ、１７ｂどうしを接合する。
【００２０】  以上のように、本考案の中華包丁ケースは、スリット状の挿入穴６を備えた板状のケース本体１に中華包丁７の刃身７ａのほぼ全体が収容されるため、安全かつ衛生的であり、また、固定手段により刃身７ａがケース本体１に確実に止め付けられ、持ち運び時の抜け落ちが防止される。また、全体が薄型で軽量化され、かさ張ることがなく、携帯に便利である。また、挿入穴６の底面に刃先保護の合成樹脂材９を設けることにより、刃身７ａの刃先が保護される。さらに、側板２ａ、２ｂを抗菌板で形成することにより、刃身７ａは常に清潔に保たれる。
【符号の説明】
【００２１】１  ケース本体
２ａ、２ｂ  側板
６  挿入穴
６ａ  開口部
７  中華包丁
７ａ  刃身
１０  切欠き段部
１１  後端部
１１ａ  上部
１３  紐（固定手段）
１４  テープ（固定手段）
１６ａ、１６ｂ  スナップ（固定手段）
１７ａ、１７ｂ  面ファスナ（固定手段）
【図１】
0003198359.tif 000003
【図２】
0003198359.tif 000004
【図３】
0003198359.tif 000005
【図４】
0003198359.tif 000006
【図５】
0003198359.tif 000007
【図６】
0003198359.tif 000008